(57)【要約】【課題】本発明は、比較的小規模の室内を空調する室内空調方法に関し、温度だけでなく湿度も含めて室内全体を均一に管理できるようにすることが課題である。【解決手段】空調装置における室内機の内部に加湿装置７を内蔵させ、空調対象の室内８においてその壁面と床面及び天井面とにそれぞれ温湿度センサー９を設置し、前記温湿度センサーの温湿度データを受信するとともにその温湿度データにより前記空調装置１と前記加湿装置７とを運転制御する制御装置１０を設けて、前記室内８の所定の範囲を設定の温湿度になるように空調管理する室内空調方法である。【選択図】図１
2009229031.tif 000002
【特許請求の範囲】
【請求項１】
空調装置における室内機の内部に加湿装置を内蔵させ、  
空調対象の室内においてその壁面と床面及び天井面とにそれぞれ温湿度センサーを設置し、
前記温湿度センサーの温湿度データを受信するとともにその温湿度データにより前記空調装置と前記加湿装置とを運転制御する制御装置を設けて、
前記室内の所定の範囲を設定の温湿度になるように空調管理すること、
を特徴とする室内空調方法。
【請求項２】
温湿度センサーの温湿度データを常に制御装置にフィードバックさせて、室内機の上下・左右に風向を規制するルーバを所望方向に向けて回動させ、室内における所望範囲の空調管理をすること、
を特徴とする請求項１に記載の室内空調方法。
【請求項３】
制御装置で室内機のファンの回転数を制御して送風の風速を制御すること、
を特徴とする請求項１又は２に記載の室内空調方法。
【請求項４】
室内機と対向配置にして制御装置によって運転制御されるサーキュレータを設けて、室内空気の循環を促進させること、
を特徴とする請求項１乃至３のいずれかに記載の室内空調方法。
【請求項５】
空調装置と、
前記空調装置における室内機に内蔵させた加湿装置と、  
空調対象の室内においてその壁面と床面及び天井面とにそれぞれ設置した温湿度センサーと、
前記温湿度センサーの温湿度データを受信するとともにその温湿度データにより前記空調装置と前記加湿装置とを運転制御する制御装置とから構成されていること、
を特徴とする加湿機能付き室内空調装置。
【請求項６】
制御装置によって室内機のファンと上下・左右に風向を規制するルーバとが制御されること、
を特徴とする請求項５に記載の加湿機能付き室内空調装置。
【発明の詳細な説明】
【技術分野】
【０００１】
本発明は、主に、小規模のクリーンルームにおいて、細菌等を取り扱う室内の空調方法と加湿機能付き空調装置に関するものである。
【背景技術】
【０００２】
従来のビルディングの屋上等に設けられている大型の空調機２０は、図３に示すように、外気と室内からのリターンエアを浄化するフィルター２と、前記フィルター２を通過する空気を加熱する加熱コイル３と、上流側に向けて水分を霧状に噴射する噴射装置４と、冷却用の冷凍機５ａからの冷媒を循環させる冷却コイル５とを有して成る。
【０００３】
これに対して比較的小規模の例えば、実験室などに用いられる空調機としては、天井設置型空調装置（家庭用のエアコンディショナー）があり、これは温度管理をするようになっている。また、除塵や脱臭、更には除菌機能付きの空調装置なども知られている（特許文献１参照）。
【特許文献１】特開２００４−１０８６８５号公報
【発明の開示】
【発明が解決しようとする課題】
【０００４】
しかし、比較的小規模であるクリーンルームにおける細胞管理室内等においては、均一で精度の高い温湿度が要求され、従来の空調方法においては、温度管理を行っても、湿度管理を行っていない。また、その温度管理においても、空調装置の吹き出し温度によって管理するので、室内を均一に温度管理するのが困難である。
【０００５】
また、エアコンディショナー（以下、エアコン）と加湿装置とが別々に使用され、加湿装置のみが置かれている室内では、その室内の換気が十分に行われないので湿気が溜まりやすく、部分的な加湿になって室内全体に行き渡らないという課題がある。本発明に係る室内空調方法と加湿機能付き室内空調装置は、このような課題を解決するために提案されたものである。
【課題を解決するための手段】
【０００６】
本発明に係る室内空調方法の上記課題を解決して目的を達成するための要旨は、空調装置における室内機の内部に加湿装置を内蔵させ、空調対象の室内においてその壁面と床面及び天井面とにそれぞれ温湿度センサーを設置し、前記温湿度センサーの温湿度データを受信するとともにその温湿度データにより前記空調装置と前記加湿装置とを運転制御する制御装置を設けて、前記室内の所定の範囲を設定の温湿度になるように空調管理することである。
【０００７】
前記温湿度センサーの温湿度データを常に制御装置にフィードバックさせて、室内機の上下・左右に風向を規制するルーバを所望方向に向けて回動させ、室内における所望範囲の空調管理をすることが好ましいものである。また、前記制御装置で室内機のファンの回転数を制御して送風の風速を制御すること、更に、室内機と対向配置にして制御装置によって運転制御されるサーキュレータを設けて、室内空気の循環を促進させることを含むものである。
【０００８】
本発明の加湿機能付き室内空調装置の要旨は、空調装置と、前記空調装置における室内機に内蔵させた加湿装置と、空調対象の室内においてその壁面と床面及び天井面とにそれぞれ設置した温湿度センサーと、前記温湿度センサーの温湿度データを受信するとともにその温湿度データにより前記空調装置と前記加湿装置とを運転制御する制御装置とから構成されていることである。
また、前記制御装置によって室内機のファンと上下・左右に風向を規制するルーバとが制御されることである。
【発明の効果】
【０００９】
本発明の室内空調方法と加湿機能付き室内空調装置によれば、室内への均一にされた加湿が行えるようになり、室内温度に合わせた加湿が行える。室内に設けた温湿度センサーによって常に制御装置へ温湿度データをフィードバックさせて、細かく温湿度制御するので、温湿度の精度が飛躍的に向上する。
【発明を実施するための最良の形態】
【００１０】
本発明に係る加湿機能付き室内空調装置１は、図１に示すように、空調対象が比較的小規模の実験室等であって、例えば、細胞管理室のように約１／１００°以下の範囲で均一に温湿度管理されるような場合であり、小型冷媒循環型空調装置６において、前記空調装置６における室内機６ａに内蔵させた加湿装置７と、空調対象の室内８においてその壁面８ａと床面８ｂ及び天井面８ｃとにそれぞれ設置した温湿度センサー９と、前記温湿度センサー９の温湿度データを受信するとともにその温湿度データにより前記空調装置６と前記加湿装置７とを運転制御する制御装置１０とから構成されている。
【００１１】
前記空調装置６は、室内８の外に室外機６ｂがあり、室内機６ａには、調質エアを吹き出させるファン６ｃと、熱交換フィン６ｄと、吹き出し口の上下・左右に回動するルーバ６ｅがある。そして、前記加湿装置７は、例えば、超音波発信器によって水蒸気を発生させて加湿するものである。
【００１２】
この加湿装置７としては、図２（Ａ）に示すように、ヒータ１１によって加湿用タンク１２の水を水蒸気にすることでも良い。更に、加湿用タンク１２の水を供給できるように、タンク取出し扉１３を開閉できるようにしたり、図２（Ｂ）に示すように、タンクをカートリッジ１４タイプにすることもできる。加湿用タンク１２には、水の水位を確認する確認窓１２ａを設けるようにすることが好ましい。なお、所定の水位になったら、水位アラーム装置などで告知するようにしても良い。
【００１３】
また、前記加湿用タンク１２の水を自動的に供給するように、公知の自動水やり装置（特開２００２−３６９６３２号、特開２０００−２７０６９６号等）を付加しても良い。更に、この室内空調装置１においては、高精度の温湿度管理を行うために、前記制御装置１０によって室内機６ａのファン６ｃと上下・左右に風向を規制するルーバ６ｅとが制御される。これにより、室内８の所望の範囲の空間を集中的に温湿度調節するようにして、室内８全体の温湿度を均一にするものである。
【００１４】
前記所望の範囲の空間に対して温湿度調節するのは、複数箇所に設けられた前記温湿度センサー９の温湿度データをデジタルデータにして、無線装置により前記デジタルデータを発信し、この発信電波を受信する受信装置を有する制御装置１０に常にフィードバックさせて、室内機６ａの上下・左右に風向を規制するルーバ６ｅを所望方向に向けて回動させて、ファン６ｃの回転を強弱させて行う。これにより、小規模な室内８の温湿度管理において、約１／１００°の管理が可能となる。
【００１５】
更に、室内機６ａと対向配置にして制御装置１０によって運転制御されるサーキュレータ１３を設けて、室内空気の循環を促進させるようにするのも好ましいものである。このようにすることで、温湿度制御の応答がより早くなるものである。
【図面の簡単な説明】
【００１６】
【図１】本発明に係る加湿付き空調装置１による空調の方法を概念的に示す説明縦断面図である。
【図２】同本発明の加湿付き空調装置１の他の実施例を示す説明縦断面図（Ａ），（Ｂ）である。
【図３】従来例に係る大型の空調装置２０の一例を示す縦断面である。
【符号の説明】
【００１７】
１          空調方法と加湿付き空調装置、
２          フィルター、
３          加熱コイル、
４          噴射装置、
５          冷却コイル、                        ５ａ          冷凍機、  
６          小型冷媒循環型空調装置、            ６ａ          室内機、
６ｂ        室外機、                            ６ｃ          ファン、
６ｄ        熱交換フィン、                      ６ｅ          ルーバ、
７          加湿装置、
８          室内、                              ８ａ          壁面、
８ｂ        床面、                              ８ｃ          天井面、
９          温湿度センサー、
１０        制御装置、
１１        ヒータ、
１２        加湿用タンク、                      １２ａ        確認窓、
１３        タンク取出し扉、
１４        カートリッッジ。
【図１】
2009229031.tif 000003
【図２】
2009229031.tif 000004
【図３】
2009229031.tif 000005